(57)【要約】【課題】  適切な摩擦係数とサイズ度を有し、かつネッパリ強度が低く、印刷作業性に優れた新聞印刷用紙提供する。【解決手段】  新聞用紙原紙、特に炭酸カルシウムを填料として1重量％以上30重量％以下含有し、脱墨パルプの配合率が50重量％以上である中性新聞用紙原紙に、下記一般式（１）で示されるアルケニル無水琥珀酸無水物を含有する塗被液を塗工することにより、静摩擦係数が0.44〜0.74の適切な範囲で、十分なサイズ性を有し、さらにネッパリ強度も低い新聞印刷用紙を得られる。  【化１】2005179812.tif 000005（ただし、式中、Ｒ１は炭素数6〜30の不飽和の炭化水素基を示す。）【特許請求の範囲】
【請求項１】
界面活性剤を含まない下記一般式（１）で示されるアルケニル無水琥珀酸サイズ剤のポリマー乳化物及び紙表面加工剤を含有する塗布液を、新聞用紙原紙に塗工、乾燥してなる新聞印刷用紙であって、静摩擦係数が0.44〜0.74の範囲である新聞印刷用紙。
【化１】
2005179812.tif 000004
（ただし、式中、Ｒ1炭素数6〜30の不飽和の炭化水素基を示す。）
【請求項２】
界面活性剤を含まないアルケニル無水琥珀酸サイズ剤を乳化するポリマーがアニオン性ＰＡＭである請求項１記載の新聞用紙。
【請求項３】
新聞用紙原紙が、填料として炭酸カルシウムを含有する中性新聞用紙原紙である請求項１または２記載の新聞印刷用紙。
【請求項４】
新聞用紙原紙が、填料として平均粒子径が1.0〜4.0μｍの軽質炭酸カルシウムを含有する中性新聞用紙原紙である請求項３記載の新聞印刷用紙。
【請求項５】
新聞用紙原紙の脱墨パルプの配合率が50重量％以上である請求項１〜４記載のいずれか一つの新聞印刷用紙。
【発明の詳細な説明】
【技術分野】
【０００１】
本発明は適切な摩擦係数とサイズ度を有する新聞印刷用紙に関する。
【背景技術】
【０００２】
新聞用紙の印刷方式は四色カラーオフセット印刷が主流になってきており、それに伴い、摩擦係数を適切な範囲の値にコントロールすることが重要である。新聞用紙の摩擦係数が上昇すると、印刷時に皺の発生など走行性に問題が生じることがあり、一方、摩擦係数が低下すると紙流れなどが発生し、印刷作業性の点で問題となる。また、四色カラー印刷により湿し水の転移回数が増加することによる断紙、色ずれやテンション低下を防ぐために、湿し水に対する耐水性（サイズ性）が新聞用紙にとって重要な品質要求となっている。
【０００３】
近年の新聞用紙への脱墨パルプの高配合化により、相対的に機械パルプの配合量が減少し、機械パルプ中の抽出成分の持ち込み量が減少すること、あるいは中性抄紙化によって填料として炭酸カルシウムを配合することにより、新聞用紙の摩擦係数は上昇する傾向にある
【０００４】
紙の摩擦係数を低下させるには、アルキルケテンダイマー（ＡＫＤ）やタルクを内添する方法や顔料塗工用の滑剤を塗工する方法が行われている。しかしながら、ＡＫＤを内添した場合にはＡＫＤが巻き取り内でマイグレーションすることにより、上巻きの摩擦係数が極端に低下し、印刷時の紙流れを発生させる原因となっている。また、タルクを内添した場合、相対的にホワイトカーボンや炭酸カルシウムなどの比散乱係数の高い填料の配合量が減少し、紙の不透明度が低下してしまうので、これらの方法は、高品質の紙を製造する上で好ましいものとは言えない。一方、ポリエチレンワックス系滑剤（特許文献１参照）やスチレン系滑剤（特許文献２参照）などの顔料塗工用の滑剤は、塗料のｐＨが7.0以下の場合には、分散安定性が低下して塗工時にシェアがかかるとスカムと呼ばれる凝集物を発生し、操業上大きな問題となる。通常、新聞用紙においては顔料は含まず、澱粉、表面サイズ剤を含むｐＨが7.0以下の塗料を塗工しているので、この問題が発生する。
【０００５】
従って、新聞用紙、特に中性新聞用紙の摩擦係数を適切な範囲にコントロールできる薬品の開発が望まれている。
【０００６】
一方、近年の四色カラー印刷の普及により、湿し水の付着量は単色印刷の約4倍になり、そのため新聞用紙からの粘着性物質の溶出量が多くなり、ブランケットに付着する粘着性物質の量が増加する傾向にある。また、ＤＩＰの高い配合化や中性抄紙化により、原紙の自己サイズ性は低下し、原紙の表面自由エネルギーが高くなることにより、紙とブランケットの付着仕事が増加し、ネッパリトラブルが発生しやすい傾向にある。
【０００７】
また、新聞用紙のサイズ性の付与の方法は、内添と外添の二つの方法が存在する。中性抄紙におけるサイズ剤の内添方法の場合にはアルキルケテンダイマー（以下ＡＫＤと称する）やアルケニル無水コハク酸などの反応性サイズ剤が使用されているが、全てのサイズ剤が紙中に歩留まるわけではなく、歩留まらなかったサイズ剤が白水中で加水分解してデポジットを形成し、抄紙機やプレスロールの汚れが問題になっている。また、新聞用紙の様に機械パルプ及び脱墨パルプの配合率が高い抄紙系内ではアニオントラッシュ量が多く、サイズ剤を内添した場合にはカチオン性に乳化されているＡＫＤがパルプ繊維に定着しないで、アニオントラッシュに定着してしまうので、有効なサイズ度を発現させるのに必要なＡＫＤの添加量を増加させる必要があり、また、抄紙系内のアニオントラッシュ量の変動によるサイズ度の変動が発生する。さらに、ＡＫＤサイズ剤を内添した場合にはサイズ度が発現するのに時間が掛かり、オンマシンでサイズ度が必要な場合には適切なサイズ度を付与することは出来なかった。
【０００８】
そこで、外添、すなわち表面サイズ剤を塗布する方法が検討されている。新聞用紙への表面サイズ剤の塗布方法としては、高速塗工が可能な被膜形成転写方式であるゲートロールコーターにて塗布するのが一般的である。しかしながら、表面サイズ剤として知られているスチレン−マレイン酸系共重合体、スチレン−アクリル酸系共重合体、オレフィン−マレイン酸系共重合体等のポリマー系サイズ剤は、サイズプレスコーターの様に低濃度の塗工液で塗布され、紙に浸漬した後に乾燥してサイズ効果が発現する様に設計されているので、ゲートロールコーターに適用しても塗工液の紙層内部への浸透性が低いために、ポリマー系サイズ剤とパルプ繊維との結合が不充分であり、サイズ効果が発現し難い。
【０００９】
そこで、ＡＫＤを新聞用紙に塗布する方法が検討されたが（特許文献３参照）、一般的な新聞用紙はｐＨが4.5〜5.5の酸性抄紙で抄造されているため、紙面ｐＨも4.5〜5.5であり、ＡＫＤが適切なサイズ度を発現するのに必要なアルカリ度に達していないので、効果的なサイズ度を付与するには、多量のＡＫＤ系サイズ剤を塗布する必要があり、さらにサイズ度の立上がりに時間が掛かるといった問題が存在した。また、摩擦係数を適切な範囲とするためには防滑剤を同時に塗布する必要があった。
【００１０】
以上、新聞用紙、とりわけ中性新聞用紙に効果的なサイズ度を付与することができる表面サイズ剤の開発が望まれている。
【００１１】
【特許文献１】特開平3-137295号公報（特許請求の範囲）
【特許文献２】特開昭58-8200号公報（特許請求の範囲）
【特許文献３】特開平7-119078号公報（請求項１）
【発明の開示】
【発明が解決しようとする課題】
【００１２】
上述したように、新聞用紙、とりわけ中性新聞用紙に効果的なサイズ度を付与し、摩擦係数を適切な範囲とすることができる表面サイズ剤の開発が望まれている。本発明は、摩擦係数が適切な範囲で、ネッパリ強度が低く、十分なサイズ性を有する新聞印刷用紙、特に四色カラーオフセット印刷用として最適な新聞印刷用紙を提供することを課題とするものである。
【課題を解決するための手段】
【００１３】
本発明者らは、前記従来技術の課題に鑑み、鋭意検討を重ねた結果、表面サイズ剤として特定のアルケニル無水琥珀酸を選択し、このサイズ剤と澱粉などの紙表面加工剤を含有する塗布液を、新聞印刷用紙原紙に塗布、乾燥することにより、静摩擦係数を適切な範囲である0.44〜0.74とし、ネッパリ強度が低く、かつ十分なサイズ性を有する新聞印刷用紙が得られることを見出だした。特に、炭酸カルシウムを填料として使用している中性新聞印刷用紙においても十分なサイズ性を付与できる。
【発明の効果】
【００１４】
摩擦係数が適切な範囲で、ネッパリ強度が低く、十分なサイズ性を有する新聞印刷用紙、特に四色カラーオフセット印刷用として最適な新聞印刷用紙を提供できる。
【発明を実施するための最良の形態】
【００１５】
本発明では、表面サイズ剤として特定のアルケニル無水琥珀酸を用いる。このアルケニル無水琥珀酸は、下記一般式（１）で表される化合物を成分とし、界面活性剤を含有しないものである。この界面活性剤は、アルケニル無水琥珀酸のエマルションを調製するために通常使用されているものである。界面活性剤が添加されていると、コーターでの泡立ちが問題になるし、十分なサイズ度を付与することができない。
【００１６】
【化１】
2005179812.tif 000002
（ただし、式中、Ｒ1は炭素数6〜30の不飽和の炭化水素基を示す。）
【００１７】
上記一般式（１）で表されるアルケニル無水琥珀酸は、Ｒ1が炭素数14〜22の不飽和炭化水素であることがより好ましい。Ｒ1は直鎖状の炭化水素に限定されるものではなく、分岐状のものや環状のものであってもよい。本発明では、このアルケニル無水琥珀酸をポリマー乳化剤を用いて乳化する。ポリマー乳化剤としては、カチオン化澱粉やＰＡＭグラフト化カチオン化澱粉やＰＡＭなどが使用される。この中でも、アニオン性ＰＡＭが好ましく使用される。アルケニル無水琥珀酸に対するポリマー乳化剤の添加量はポリマーの種類により異なり一概には言えないが、通常10〜30％（重量比）程度である。マシンサイドで該アルケニル無水琥珀酸にポリマー乳化剤を添加混合し、ベンリュリー管やタービンポンプ、ホモジナイザー、スタチックミキサーなどの公知の乳化装置を用いて乳化する。この乳化物を次に示す紙表面加工剤の水溶液中に混合分散させる。
【００１８】
本発明で使用する紙表面加工剤としては、通常の紙表面処理に使用されている公知のものが挙げられる。例えば、澱粉、酸化澱粉、エステル化澱粉、エーテル化澱粉、カチオン化澱粉、酵素変成澱粉、カルボキシメチルセルロース、ヒドロキシエチルセルロース、メチルセルロース等のセルロース誘導体、ポリアクリルアミド、ポリビニルアルコール、カルボキシル変成ポリビニルアルコール、アセトアセチル化ポリビニルアルコール等の変成アルコール、スチレン−ブタジエン系共重合体、ポリ酢酸ビニル、塩化ビニル−酢酸ビニル系共重合体、ポリ塩化ビニル、ポリ塩化ビニリデン、ポリアクリル酸エステル等から選択される少なくとも1種を使用することが可能である。紙表面加工剤を含む水溶液、または水性ラテックスの状態で塗布される。これらの紙表面加工剤は、表面強度の向上、紙粉防止などの目的で使用され、単独、もしくは2種類以上混合して用いられる。
【００１９】
本発明で使用する紙表面加工剤は、表面強度向上、特に、紙粉抑制の点では、主体的な役割を果たす。しかしながら、一方で、新聞用紙固有の問題であるネッパリ問題（新聞用紙が大量印刷された際、紙表面加工剤がブランケットに転移、蓄積して引き起こされるトラブル）の原因にもなる。表面強度向上効果、ネッパリ問題とのバランスを考えれば、紙表面加工剤としては、前述の例の中でも澱粉類を好ましく使用でき、その中でも、酸化澱粉、エーテル化澱粉、エステル化澱粉等の加工澱粉が最も好ましい。
【００２０】
アルケニル無水琥珀酸サイズ剤と紙表面加工剤の好ましい配合比は、表面加工剤に対してアルケニル無水琥珀酸サイズ剤が1〜30重量％（固形分重量比）である。アルケニル無水琥珀酸サイズ剤が1重量％未満ではサイズ度の向上の効果が不十分で、30重量％を超えて配合してもサイズ度がレベルオフするために配合する意味があまり無くなる。紙表面加工剤の好ましい塗布量の範囲は0.1〜1.0ｇ／ｍ２である。
【００２１】
本発明において、新聞用紙原紙に特定のアルケニル無水琥珀酸サイズ剤及び紙表面加工剤を含有する塗布液を塗布することにより、十分なサイズ性を有しながら、摩擦係数の低下が少ない新聞用紙が得られる。通常、ＡＫＤを塗布すると摩擦係数が顕著に低下してしまうので、防滑剤を使用する必要があるが、本発明のアルケニル無水琥珀酸サイズ剤を塗布すると、防滑剤を使用しなくても適切な範囲の摩擦係数を有し、かつ十分なサイズ性を有する新聞印刷用紙が得られる。
【００２２】
本発明の新聞印刷用紙の静摩擦係数は、0.44〜0.74の範囲にある必要がある。静摩擦係数が0.44未満の場合、紙流れの問題、印刷テンション低下の問題が起きる恐れがある。他方、静摩擦係数が0.74より高い場合、用紙の走行性悪化の問題などが懸念される。
【００２３】
さらに、ソフトカレンダー、マシンカレンダー、スーパーカレンダー等のカレンダー装置で新聞用紙原紙に本発明のアルケニル無水琥珀酸サイズ剤及び紙表面加工剤を含有する塗布液を塗布した面を処理することにより、サイズ度を効果的に発現させることが出来る。カレンダーの表面温度は50℃以上が望ましい。
【００２４】
本発明の新聞印刷用紙の吸水抵抗性（サイズ性）は、製品に求められる仕様により、適宜決定されればよく、特に限定されるものではない。点滴吸水度法（Japan TAPPI No.33に準拠した方法（紙面に水1μｌを滴下し、水滴が紙面に吸収されるまでの時間を測定する方法））であえて限定すれば、点滴吸水度が10〜1000秒の範囲であればよく、さらに好ましくは15〜800秒の範囲である。また、特開平8-232193号公報、あるいは特開平11-140791号公報に記載されているような水滴の接触角による方法（紙面に水滴を落下して所定時間後の接触角）で限定するとすれば、5μｌの水滴を紙面に落下して0.1秒後の接触角が90度以上110度以下であることが好ましい。点滴吸水度法は、どちらかと言うと、静的サイズ性の評価であるのに対し、接触角による方法は、動的サイズ性の評価であると考えられる。前者は、例えば、用紙がオフセット輪転機で湿し水が付着してから、印刷物として排出されるまでの間の時間における用紙の挙動、後者は、例えば、サテライト印刷機のようなカラー印刷機の胴と胴の間での時間における用紙の挙動に対応するものであり、異なる事象を評価していると考えられる。従って、カラー印刷適性を向上させるためには、両方の性質を兼ね備えている必要がある。そのため、本発明の新聞印刷用紙は、点滴吸水度が10〜1000秒の範囲で、かつ5μｌの水滴を滴下して0.1秒後の接触角が90度以上110度以下であることが好ましい。
【００２５】
本発明において、炭酸カルシウムを填料として含有する中性新聞用紙原紙を原紙として用いることが好ましい。炭酸カルシウムを使用することによりアルケニル無水琥珀酸のサイズ性に必要なアルカリ度を充分に供給することが出来る。炭酸カルシウムとしては平均粒子径1.0〜4.0μｍの軽質炭酸カルシウムを使用することがさらに好ましい。填料としての炭酸カルシウムの含有率は紙重量当たり1重量％以上30重量％以下であることが好ましい。
【００２６】
アルケニル無水琥珀酸及び表面加工剤を含有する塗布液を新聞用紙原紙へ塗布するための塗工装置としては、特に限定されるものではなく、例えば、サイズプレス、ブレードメタリングサイズプレス、ロッドメタリングサイズプレス、ゲートロールコーター、ブレードコーター、バーコーター、ロッドブレードコーター、エアーナイフコーター等、一般に公知公用の塗工装置が適宜使用される。
【００２７】
本発明で用いられる新聞用紙原紙は、グランドパルプ（ＧＰ）、サーモメカニカルパルプ（ＴＭＰ）、ケミサーモメカニカルパルプ（ＣＴＭＰ）、セミケミカルパルプなどのメカニカルパルプ（ＭＰ）、クラフトパルプ（ＫＰ）に代表されるケミカルパルプ（ＣＰ）、これらのパルプを含む古紙を脱墨して得られる脱墨パルプ（ＤＩＰ）、及び抄紙工程からの損紙を離解して得られる回収パルプなどを、単独、あるいは任意の比率で混合し、一般に公知公用の抄紙機によって抄紙されたものである。ＤＩＰの配合率は、最近のＤＩＰの高配合化の流れからすると、50〜100重量％の範囲がより好ましい。しかしながら、ＤＩＰの高配合化により、相対的に機械パルプの配合比率が減少し、機械パルプ中の抽出成分の持ち込み量が減少することにより、新聞印刷用紙の摩擦係数は上昇する傾向にある。本発明では、特定の構造のアルケニル無水琥珀酸サイズ剤を使用することより、静摩擦係数を0.44〜0.74の範囲に調整することをも可能としたのである。
【００２８】
本発明で使用する新聞用紙原紙は、必要に応じて、一般に公知公用の製紙用填料、抄紙用薬品を適宜使用することができる。填料としては、炭酸カルシウム以外に、ホワイトカーボン、クレー、シリカ、タルク、酸化チタン、合成樹脂填料（塩化ビニル樹脂、ポリスチレン樹脂、尿素ホルマリン樹脂、メラミン系樹脂、スチレン／ブタジエン系共重合体系樹脂など）などを使用してもよい。また、抄紙用薬品としては、ポリアクリルアミド系高分子、ポリビニルアルコール系高分子、カチオン化澱粉、尿素−ホルマリン系樹脂、メラミン−ホルマリン系樹脂などの紙力増強剤；アクリルアミド−アミノメチルアクリルアミドの共重合物の塩、カチオン化澱粉、ポリエチレンイミン、ポリエチレンオキサイド、アクリルアミド−アクリル酸ナトリウム共重合物などのろ水性／歩留まり向上剤、ロジンサイズ剤、エマルジョンサイズ剤、アルキルケテンダイマー（ＡＫＤ）、アルケニルコハク酸無水物（ＡＳＡ）などのサイズ剤、硫酸アルミニウム（硫酸バンド）、紫外線防止剤、退色防止剤、消泡剤などの助剤などを含有してもよい。また、新聞用紙原紙の坪量としては、特に限定されるものではないが、34〜50ｇ／ｍ２程度である。この新聞用紙原紙の物性は、オフセット印刷機で印刷可能である必要があり、通常の新聞用紙程度の引張り強度、引裂き強度、伸びなどの物性を有するものであればよい。
【実施例】
【００２９】
以下、実施例にて本発明を具体的に説明するが、本発明はこれ等の実施例に限定されるものではない。なお、実施例及び比較例中の％、部は各々重量％、重量部を表す。
【００３０】
［実施例１］
ＴＭＰ25部、ＤＩＰ70部及びＮＢＫＰ5部（何れも乾燥パルプ重量）から成る混合パルプをプロポミキサーで混合してパルプスラリーを調整し、この混合パルプ100部に対して硫酸アルミニウムを1.3部、炭酸カルシウム（商品名：オプチカルＨＰ、イメリス製、平均粒子径１．５μｍ）を5部添加し、ツインワイヤー型抄紙機にて、坪量43ｇ／ｍ２、厚さ68μｍ、灰分9％の中性新聞用紙原紙を製造した。サイズ剤として界面活性剤が添加されていないアルケニル無水琥珀酸（商品名：AS-281、日本ＰＭＣ（株）製）に、ポリマー乳化剤としてアニオンＰＡＭ（商品名：AS-280P、日本ＰＭＣ（株）製）を13.3％（固形分重量比）添加混合後、高速撹拌乳化機で乳化し、サイズ剤エマルションを調製した。紙表面加工剤としてヒドロキシルエチル化澱粉（商品名：ETHYLEX2025、ＳＴＡＬＥＹ社製）を蒸煮したものを濃度6.0％に調製し、これに前記サイズ剤エマルションを濃度0.6％になるように添加混合し塗布液を作成した。ゲートロールコーターを用いて、1200ｍ／分の速度で、前記新聞用紙原紙の両面に塗布した。塗布量（両面当たり）、摩擦係数、ネッパリ強度、点滴吸水度を表１に示す。
【００３１】
[実施例２]
実施例１の塗布液中のアルケニル無水琥珀酸濃度を0.9％にした以外は、実施例1と同様に行った。塗布量（両面当たり）、摩擦係数、ネッパリ強度、点滴吸水度を表１に示す。
【００３２】
[実施例３]
実施例１の塗布液中のアルケニル無水琥珀酸濃度を1.2％にした以外は、実施例1と同様に行った。塗布量（両面当たり）、摩擦係数、ネッパリ強度、点滴吸水度を表１に示す。
【００３３】
［実施例４］
実施例１で使用した界面活性剤無添加のアルケニル無水琥珀酸をカチオン化澱粉(商品名：Amilofax-T35、Avebe社製）で乳化したこと以外は、実施例１と同様にして新聞印刷用紙を作成した。塗布液のヒドロキシルエチル化澱粉濃度は6.0％、アルケニル無水琥珀酸濃度は1.2%である。塗布量（両面当たり）、摩擦係数、ネッパリ強度、点滴吸水度を表１に示す。
【００３４】
［実施例５］
実施例１と同様のパルプ配合のパルプスラリーを用い、この混合パルプ100部に対して硫酸アルミニウムを2.1部、クレー（商品名：44クレー、大春工業所製）を8部添加し、ツインワイヤー型抄紙機にて、坪量43.2ｇ／ｍ２、厚さ67μｍ、灰分3.9％の酸性新聞用紙原紙を製造した。この原紙は軽量酸性新聞用紙原紙としては一般的なものである。この新聞用紙原紙を使用した以外は、実施例1と同様にして新聞印刷用紙を作成した。塗布液のヒドロキシルエチル化澱粉濃度は6.0％、アルケニル無水琥珀酸濃度は1.2%である。塗布量（両面当たり）、摩擦係数、ネッパリ強度、点滴吸水度を表１に示す。
【００３５】
［比較例１］
実施例1で使用したアルケニル無水琥珀酸の代わりに、界面活性剤が5%添加されているアルケニル無水琥珀酸を使用した以外は、実施例１と同様にして新聞印刷用紙を作成した。塗布液のヒドロキシルエチル化澱粉濃度は6.0％、アルケニル無水琥珀酸濃度は1.2%である。塗布量（両面当たり）、摩擦係数、ネッパリ強度、点滴吸水度を表１に示す。
【００３６】
[比較例２]
実施例３で使用したアルケニル無水琥珀酸サイズ剤のポリマー乳化物の変わりに、ＡＫＤ(商品名:ＳＫレジン、日本PMC社製)を使用したこと以外は実施例１と同様に行った。塗布液のヒドロキシルエチル化澱粉濃度は6.0％、ＡＫＤ濃度は1.2%である。塗布量（両面当たり）、摩擦係数、ネッパリ強度、点滴吸水度を表１に示す。
【００３７】
[比較例３]
サイズ剤を使用しなかったこと以外は実施例1と同様に行った。塗布量（両面当たり）、摩擦係数、ネッパリ強度、点滴吸水度を表１に示す。
【００３８】
【表１】
2005179812.tif 000003
【００３９】
表１の結果から明らかなように、実施例１〜５では新聞印刷用紙の摩擦係数が適切な範囲内（0.44〜0.74）であり、ネッパリ強度も低く、十分なサイス性（点滴吸水度）を有している。一方、比較例１は界面活性剤を含有するアルケニル無水琥珀酸を添加したものであり、摩擦係数とネッパリ強度は良好であるが、界面活性剤の影響で十分なサイズ性が得られない。比較例２はＡＫＤとヒドロキシルエチル化澱粉から成る塗布液を塗工したものであり、サイズ性は良好であるが、ネッパリ強度が高く、摩擦係数が低いという問題がある。比較例３はヒドロキシエチル化澱粉のみを塗工したものであり、摩擦係数は適切な範囲内にあるものの実施例１〜５よりは高い。またネッパリ強度も高く、サイズ性を極めて低い。
【手続補正書】
【提出日】平成16年6月30日(2004.6.30)
【手続補正１】
【補正対象書類名】特許請求の範囲
【補正対象項目名】請求項１
【補正方法】変更
【補正の内容】
【請求項１】
界面活性剤を含まない下記一般式（１）で示されるアルケニル無水琥珀酸サイズ剤のポリマー乳化物及び紙表面加工剤を含有する塗布液を、新聞用紙原紙に塗工、乾燥した、静摩擦係数が0.44〜0.74である新聞印刷用紙。
【化１】
2005179812.tif 000006
（ただし、式中、Ｒ１は炭素数6〜30の不飽和の炭化水素基を示す。）